(57)【特許請求の範囲】
【請求項１】
輝尽性蛍光体プレート上で励起光を走査し、その結果として発生する蛍光を検出し、前記輝尽性蛍光体プレートに記録された画像を読み取る放射線画像読み取り装置において、
予め読み取られた画像データから低周波の第１の感度むら情報と高周波の第２の感度むら情報とを求め記憶する感度むら情報記憶手段と、
この感度むら情報記憶手段に記憶されている前記第１の感度むら情報に基づいて前記励起光の強度を変化させる励起光強度変調手段と、
前記感度むら情報記憶手段に記憶されている前記第２の感度むら情報に基づいて、読み取られた画像データに対し演算処理により感度むらを補正する感度むら補正手段と、
を備えたことを特徴とする放射線画像読み取り装置。
【請求項２】
輝尽性蛍光体プレート上で励起光を走査し、その結果として発生する蛍光を光電変換器で光電変換し、この光電変換器の出力電気信号を増幅手段で増幅し、増幅された電気信号を読み取ることにより画像データを得る放射線画像読み取り装置において、
予め読み取られた画像データから低周波の第１の感度むら情報と高周波の第２の感度むら情報とを求め記憶する感度むら情報記憶手段と、
この感度むら情報記憶手段に記憶されている前記第１の感度むら情報に基づいて前記光電変換器の増幅率を変化させる光電変換器増幅率変調手段と、
前記感度むら情報記憶手段に記憶されている前記第２の感度むら情報に基づいて、読み取られた画像データに対し演算処理により感度むらを補正する感度むら補正手段と、
を備えたことを特徴とする放射線画像読み取り装置。
【請求項３】
輝尽性蛍光体プレート上で励起光を走査し、その結果として発生する蛍光を光電変換器で光電変換し、この光電変換器の出力電気信号を増幅手段で増幅し、増幅された電気信号を読み取ることにより画像データを得る放射線画像読み取り装置において、
予め読み取られた画像データから低周波の第１の感度むら情報と高周波の第２の感度むら情報とを求め記憶する感度むら情報記憶手段と、
この感度むら情報記憶手段に記憶されている前記第１の感度むら情報に基づいて前記増幅手段の増幅率を変化させる増幅率変調手段と、
前記感度むら情報記憶手段に記憶されている前記第２の感度むら情報に基づいて、読み取られた画像データに対し演算処理により感度むらを補正する感度むら補正手段と、
を備えたことを特徴とする放射線画像読み取り装置。
【発明の詳細な説明】
【０００１】
【発明が属する技術分野】
本発明は放射線画像情報を光学的に読み取る放射線画像読み取り装置に関し、特に、輝尽性蛍光体を使用した読み取り装置のように、精細な濃淡情報を正確に再現する必要がある読み取り装置における、感度むら補正技術に関する。
【０００２】
【従来の技術】
ある種の蛍光体に放射線（Ｘ線、α線、β線、ｒ線、紫外線等）を照射すると、この放射線エネルギーの一部が蛍光体中に蓄積される。そして、この蛍光体に可視光等の励起光を照射すると、蓄積されたエネルギーに応じて蛍光体が輝尽発光を示すことが知られいる。このような性質を示す蛍光体は蓄積性蛍光体若しくは輝尽性蛍光体と呼ばれる。
【０００３】
この輝尽性蛍光体を利用して、人体等の放射線画像情報を一旦シート上に設けられた蓄積性蛍光体（輝尽性蛍光体プレート）に記録し、この輝尽性蛍光体プレートをレーザ光等の励起光で走査して輝尽発光光を生ぜしめ、得られた輝尽発光光を光電的に読み出して画像信号を得ることが可能である。
【０００４】
図７は輝尽性蛍光体プレートへの画像（例えば、診断用画像）の記録方法を示す模式図である。
この図７において、Ｘ線源１００から出射されたＸ線は、絞り２００によって絞られた後、被写体３００に照射される。そして、被写体３００を透過したＸ線は、輝尽性蛍光体プレート４００に入射し、これによって、輝尽性蛍光体プレート４００に被写体３００の画像の潜像が形成される。
【０００５】
この潜像を読み取る過程について図８を用いて説明する。まず、潜像が形成された輝尽性蛍光体プレート４００を励起光発生部７で発生したレーザ光を偏向器８により走査して照射する。そして、それにより発光した輝尽性発光光を集光体９で集光し、光電子増倍管１０（フォトマルチプライヤー，以下、単にフォトマルという）で光電変換し、その電気信号をＬＯＧアンプ１２で増幅・対数変換し、Ａ／Ｄ変換コンバータ１３でディジタル信号に変換して画像データを読み取る。
【０００６】
【発明が解決しようとする課題】
しかしながら、輝尽性蛍光体プレートの感度はその全面において常に均一ではあり得ず、場所による感度不均一が存在する場合がある。また、集光器等の画像情報読み取り手段においても、その輝尽発光光の集光感度は常にシート全面において均一ではあり得ず、場所による感度不均一が存在する場合がある。
【０００７】
従って、読み取りによって得られた画像信号そのものに基づいて再生された可視像は、上記シートあるいは読み取り手段等における感度の不均一性を含んでいるという難点を有する。
【０００８】
このような感度むら（輝尽性蛍光体プレートの感度むら、集光体の集光効率（集光感度）むら等、以下、単に感度むらと言う）により読み取られた画像にむらが生じる。
【０００９】
この感度むらを補正する方法が特開昭６０−２３４６４３号公報等で開示されている。その補正方法は読み取られた画像信号を演算処理することにより行われている。
【００１０】
上記のような画像処理による感度むら補正方法だと感度むらを補正することはできるが、実質の読み取ダイナミックレンジが狭くなるという問題がある。
以下、この読み取りダイナミックレンジの問題について説明する。
【００１１】
輝尽性蛍光体プレート４００に相対Ｘ線強度１０００の強さのＸ線を、被写体を透過させずに輝尽性蛍光体プレート４００全面に渡り一様に照射する。そして、その輝尽性蛍光体プレート４００を読み取り装置５で読み取ったときの、主走査方向のプロファイル例を図９において特性曲線Ｂとして示す。
【００１２】
そして、それが読み取られたときのＡ／Ｄコンバータ１３への入力電圧を、図１０の特性曲線Ｂに示す。尚、ここに示した例のＡ／Ｄ変換コンバータ１３は、１Ｖ〜４Ｖの電圧信号を１０ビットでサンプリングするものとする。
【００１３】
また、Ａ／Ｄコンバータ１３へは図１１の入出力特性を有するＬＯＧアンプ１２を通った信号を入力するので、結局このＡ／Ｄコンバータ１３はダイナミックレンジ３桁（入力電流０．１ｍＡ〜１００ｍＡ）を１０ビットでサンプリングしていることになる。
【００１４】
ここで、上記と同様にして相対Ｘ線強度１のＸ線を照射した場合には、Ａ／Ｄコンバータ１３へは図１０の特性曲線Ａに示されるような電気信号が入力されるが最も感度の高いところ以外は電圧が１Ｖ未満となり、ディジタル画像データとしては信号値０ということになる。これは感度むらが存在しているためであり、もし感度むらが存在していなければ相対Ｘ線強度１の画像も信号値１として全画素読み取られるはずである。
【００１５】
上記のように、本来ならば３桁（ｌｏｇ１０００−ｌｏｇ１＝３−０＝３）のダイナミックレンジ（図１２のａの範囲）である筈が、実際にはａ′のように狭くなる問題を生じる。例えば、特性曲線Ａ′の発光強度の最高部分は２程度である場合のダイナミックレンジは、
ｌｏｇ１０００−ｌｏｇ２＝３−０．３＝２．７
となり、２．７桁しかない状態になっている。
【００１６】
本発明は以上のような感度むらの問題を解決するためになされたもので、その目的は、ダイナミックレンジを狭めることなく、輝尽性蛍光体プレートや読み取り手段によって生じる感度むらの影響のない状態の画像を生成することが可能な放射線画像読み取り方法及び装置を提供することにある。
【００１７】
【課題を解決するための手段】
従って、課題を解決する手段としての発明は、以下に説明するものである。
【００４１】
（１）第１の発明は、輝尽性蛍光体プレート上で励起光を走査し、その結果として発生する蛍光を検出し、前記輝尽性蛍光体プレートに記録された画像を読み取る放射線画像読み取り装置において、予め読み取られた画像データから低周波の第１の感度むら情報と高周波の第２の感度むら情報とを求め記憶する感度むら情報記憶手段と、この感度むら情報記憶手段に記憶されている前記第１の感度むら情報に基づいて前記励起光の強度を変化させる励起光強度変調手段と、前記感度むら情報記憶手段に記憶されている前記第２の感度むら情報に基づいて、読み取られた画像データに対し演算処理により感度むらを補正する感度むら補正手段と、を備えたことを特徴とする放射線画像読み取り装置である。
【００４２】
この第１の発明の放射線画像読み取り装置では、予め輝尽性蛍光体プレートに対して被写体を透過させずに一様な放射線を照射したときの蛍光から感度むら（輝尽性蛍光体プレートや読み取り部によって生じる感度むら）情報を低周波の第１の感度むら情報と高周波の第２の感度むら情報とに分けて抽出しておき、輝尽性蛍光体プレートに対して被写体を透過させた放射線を照射したときの画像を読み取る際に、既に求めた第１の感度むらを打ち消すように励起光の強度を調節した走査と、第２の感度むらを打ち消すように補正手段において画像データに対して演算処理を行う。
【００４３】
これにより、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。
【００４４】
（２）第２の発明は、輝尽性蛍光体プレート上で励起光を走査し、その結果として発生する蛍光を光電変換器で光電変換し、この光電変換器の出力電気信号を増幅手段で増幅し、増幅された電気信号を読み取ることにより画像データを得る放射線画像読み取り装置において、予め読み取られた画像データから低周波の第１の感度むら情報と高周波の第２の感度むら情報とを求め記憶する感度むら情報記憶手段と、この感度むら情報記憶手段に記憶されている前記第１の感度むら情報に基づいて前記光電変換器の増幅率を変化させる光電変換器増幅率変調手段と、前記感度むら情報記憶手段に記憶されている前記第２の感度むら情報に基づいて、読み取られた画像データに対し演算処理により感度むらを補正する感度むら補正手段と、を備えたことを特徴とする放射線画像読み取り装置である。
【００４５】
この第２の発明の放射線画像読み取り装置では、予め輝尽性蛍光体プレートに対して被写体を透過させずに一様な放射線を照射したときの蛍光から感度むら（輝尽性蛍光体プレートや読み取り部によって生じる感度むら）情報を低周波の第１の感度むら情報と高周波の第２の感度むら情報とに分けて抽出しておき、輝尽性蛍光体プレートに対して被写体を透過させた放射線を照射したときの画像を読み取る際に、既に求めた第１の感度むらを打ち消すように光電変換器の増幅率を変化させた増幅と、第２の感度むらを打ち消すように感度むら補正手段における画像データに対しての演算処理とを行う。
【００４６】
これにより、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。
【００４７】
（３）第３の発明は、輝尽性蛍光体プレート上で励起光を走査し、その結果として発生する蛍光を光電変換器で光電変換し、この光電変換器の出力電気信号を増幅手段で増幅し、増幅された電気信号を読み取ることにより画像データを得る放射線画像読み取り装置において、予め読み取られた画像データから低周波の第１の感度むら情報と高周波の第２の感度むら情報とを求め記憶する感度むら情報記憶手段と、この感度むら情報記憶手段に記憶されている前記第１の感度むら情報に基づいて前記増幅手段の増幅率を変化させる増幅率変調手段と、前記感度むら情報記憶手段に記憶されている前記第２の感度むら情報に基づいて、読み取られた画像データに対し演算処理により感度むらを補正する感度むら補正手段と、を備えたことを特徴とする放射線画像読み取り装置である。
【００４８】
この第３の発明の放射線画像読み取り装置では、予め輝尽性蛍光体プレートに対して被写体を透過させずに一様な放射線を照射したときの蛍光から感度むら（輝尽性蛍光体プレートや読み取り部によって生じる感度むら）情報を低周波の第１の感度むら情報と高周波の第２の感度むら情報とに分けて抽出しておき、輝尽性蛍光体プレートに対して被写体を透過させた放射線を照射したときの画像を読み取る際に、既に求めた第１の感度むらを打ち消すように増幅手段の増幅率を変化させた信号増幅と、第２の感度むらを打ち消すように感度むら補正手段における画像データに対しての演算処理とを行う。
【００４９】
これにより、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。
【００５０】
【発明の実施の形態】
次に、本発明の実施の形態例について図面を参照しつつ説明する。
＜実施の形態１：励起光強度調節＞
図１は本実施の形態例の全体構成を示す構成図である。この図１において、Ｘ線装置１は被写体ＭにＸ線を照射するための装置であり、Ｘ線装置の制御部２及びＸ線管３で構成されている。
【００５１】
一方、この実施の形態例において特徴部分となる読み取り装置５は被写体Ｍを透過したＸ線を読み取るための装置であり、輝尽性蛍光体層を有する放射線画像変換パネル（輝尽性蛍光体プレート）６，レーザ光などの励起光を発する励起光発生部，ポリゴンミラーなどを用いて励起光を走査する走査ミラー８，輝尽性蛍光体プレート６での輝尽発光を集める集光体９，読み取り部としてのフォトマルチプライヤ１０，電圧増幅を行うＬＯＧアンプ１２，アナログの画像信号をディジタルのイメージデータに変換するＡ／Ｄ変換部１３，イメージデータをディジタル的に画像処理する画像処理部１４，各種データを参照して各部の制御を行う制御部１７，制御部１７からの指示を受けて制御されるフォトマルチプライヤ駆動用の高圧電源１９，前述した図９に示した感度むら情報が感度むらデータとして格納されたテーブル２０から構成されている。
【００５２】
そこで、図１に示すような読み取り装置５を使用して、以下のような補正処理を行う。尚、図１の読み取り装置５では、大まかな（低周波の）感度むらを格納するためにテーブル２０を備えていることを特徴としている。
【００５３】
輝尽性蛍光体プレート６上に対して被写体を透過させた放射線を照射したときの画像を読み取る際に、テーブル２０に格納された感度むらデータに従って、感度むらを打ち消すように励起光の強度を調節した走査を行って読み取りを行う。すなわち、輝尽性蛍光体プレート６の両端部で感度が徐々に低下するような感度むら特性（図２（ａ））である場合には、両端部で強度を大きくして中央部付近に向かって徐々に強度を抑えた強度特性（図２（ｂ））の励起光で走査を行う。
【００５４】
このように励起光の強度調節を行うことで、ダイナミックレンジを狭めることなく、輝尽性蛍光体プレートや読み取り手段によって生じる感度むらの影響のない状態の画像を生成することが可能になる。
【００５５】
従って、補正前のダイナミックレンジＤ（図２（ａ））はＤ′（図２（ｃ））となり、感度むらも抑えられている。
＜実施の形態２：可変増幅率信号増幅＞
上述の実施の形態２と同様に、ダイナミックレンジを狭めることなく感度むらを補正するために、図１に示すような読み取り装置５を使用して、以下のような補正処理を行う。
【００５６】
輝尽性蛍光体プレート６上に対して被写体を透過させた放射線を照射したときの画像を読み取った際に、前記の大まかな感度むらを打ち消すように増幅率を変化させた信号増幅を行う。
【００５７】
すなわち、輝尽性蛍光体プレート６の両端部で感度が徐々に低下するような感度むら特性（図３（ａ））である場合には、両端部で読み取った信号を増幅する際に増幅率（増幅度、または利得）を大きくし、中央部付近に向かって徐々に増幅率を抑えた信号増幅（図３（ｂ）：中央で基準増幅度Ａ０  ）を行う。
【００５８】
このような可変増幅率による信号増幅については、
▲１▼制御部１７からの指示により、高圧電源１９の電圧制御を行ってフォトマルチプライヤ（光電変換器）１０の増幅率を変化させる，
▲２▼制御部１７からの指示により、ＬＯＧアンプ１２の増幅率を変化させる，
の２種類が考えられる。
【００５９】
尚、いずれか一方の制御であっても、両方の併用であっても構わない。従って、この場合には、制御部１７が増幅率変調手段若しくは光電変換器増幅率変調手段を構成している。
【００６０】
このような信号増幅を行うことで、ダイナミックレンジを狭めることなく、輝尽性蛍光体プレートや読み取り手段によって生じる感度むらの影響のない状態の画像を生成することが可能になる。
【００６１】
従って、補正前のダイナミックレンジＤ（図２（ａ））はＤ′（図２（ｃ））となり、感度むらも抑えられている。
＜実施の形態３：励起光強度調節＋画像処理＞
図４は実施の形態３に使用する装置の全体構成を示す構成図である。この図４において、Ｘ線装置１は被写体ＭにＸ線を照射するための装置であり、Ｘ線装置の制御部２及びＸ線管３で構成されている。
【００６２】
一方、この実施の形態例において特徴部分となる読み取り装置５は被写体Ｍを透過したＸ線を読み取るための装置であり、輝尽性蛍光体層を有する放射線画像変換パネル（輝尽性蛍光体プレート）６，レーザ光などの励起光を発する励起光発生部，ポリゴンミラーなどを用いて励起光を走査する走査ミラー８，輝尽性蛍光体プレート６での輝尽発光を集める集光体９，読み取り部としてのフォトマルチプライヤ１０，電圧増幅を行うＬＯＧアンプ１２，アナログの画像信号をディジタルのイメージデータに変換するＡ／Ｄ変換部１３，イメージデータをディジタル的に画像処理する画像処理部１４，低周波の感度むらデータが格納された第１テーブル１５，高周波の感度むらデータが格納された第２テーブル１６，各種データを参照して各部の制御を行う制御部１７，制御部１７からの指示を受けて制御されるフォトマルチプライヤ駆動用の高圧電源１９から構成されている。
【００６３】
尚、第１テーブル１５には、所定の値以下の周波数の大まかな感度むら（第１の感度むらとも言う）についてのデータが格納されている。そして、第２テーブル１６には、所定の値以上の周波数の細かな感度むら（第２の感度むらとも言う）についてのデータが格納されている。
【００６４】
この所定の周波数としては、例えば、１ｋＨｚ〜１ＭＨｚ程度のいずれかの周波数を選択して用いることが好ましい。
ここで、この第１の感度むらと第２の感度むらとについて説明する。図５は主走査方向のプレート位置を例にとり、そのプレート位置の各ポイントでの感度むらの様子を模式的に示した特性図であり、図５（ａ）は第１の感度むらと第２の感度むらとが含まれた通常の状態を示し、図５（ｂ）は第１の感度むらを抽出した状態を示し、図５（ｃ）は第２の感度むらを抽出した状態を示している。
【００６５】
例えば、このように感度むらの認識，識別及びその分離・抽出は、以下のような手法が考えられる。
（ａ）輝尽性蛍光体プレートを２０００画素×２０００画素若しくは４０００画素×４０００画素として扱う場合に、輝尽性蛍光体プレートに被写体を透過させずに一様な放射線を照射したときの蛍光の強度（図５（ａ））を読み取って、１０画素程度のアパーチャサイズでボケマスク処理をする。そして、得られた不均一成分を第１の大まかな感度むら（図５（ｂ））として第１のテーブルに格納する。そして、再度、輝尽性蛍光体プレートに被写体を透過させずに一様な放射線を照射したときの蛍光の強度（図５（ａ））を読み取って、第１のテーブルのデータ（図５（ｂ））で減算を行い、細かな感度むら（図５（ｃ））を求めて第２のテーブルに格納する。
【００６６】
（ｂ）輝尽性蛍光体プレートに被写体を透過させずに一様な放射線を照射したときの蛍光の強度（図５（ａ））を読み取って、多項式近似を行う。そして、５次若しくは６次の関数で近似できる部分を大まかな第１の感度むらとして扱い、第１のテーブルに格納する。そして、それ以上の次数の関数で近似できる部分を細かな感度むらとして扱い、第２のテーブルに格納する。尚、関数への近似を一度に行なわずに上述の（ａ）と同じ様にして、第１の感度むらを近似して求めた後に第２の感度むらを減算により求めて近似しても良い。
【００６７】
このようにして求めて第１テーブル１５及び第２テーブル１６に格納した感度むらデータを用いて、以下のように補正を行う。
輝尽性蛍光体プレート６上に対して被写体を透過させた放射線を照射したときの画像を読み取る際に、前記の第１の感度むらを打ち消すように励起光の強度を調節した走査を行って読み取りを行う。すなわち、輝尽性蛍光体プレート６の両端部で感度が徐々に低下するような感度むら特性（図２（ａ））である場合には、両端部で強度を大きくして中央部付近に向かって徐々に強度を抑えた強度特性（図２（ｂ））の励起光で走査を行う。
【００６８】
このような強度特性については制御部１７からの指示により励起光発生部７が制御を行う。この場合の制御はゆるやかなものであるので容易に実現することができる。
【００６９】
このような走査では、画像を読み取る際に、既に求めた第１の感度むらを打ち消すように励起光の強度を調節した走査を行うことになり、大まかな第１の感度むらが生じない状態での読み取りが行えるようになる。
【００７０】
そして、読み取った画像信号の細かな第２の感度むらについて、画像処理部１４において画像処理（演算処理）による補正を行う。この場合、第２の感度むらに基づいて画素毎の補正係数を用意して乗算器やルックアップテーブルを用いて補正を行う。この補正は画素単位にディジタル的に行なえるので、細かな第２の感度むらについて忠実に補正を行うことが容易にできる。
【００７１】
このように、第１及の感度むらについて励起光の強度調節を行い、第２の感度むらについてディジタル的な画像処理によって補正を行うことで、ダイナミックレンジを狭めることなく、輝尽性蛍光体プレートや読み取り手段によって生じる感度むらの影響が極めて少ない状態の画像を生成することが可能になる。
【００７２】
従って、補正前のダイナミックレンジＤ（図２（ａ））は、ほぼＤ′（図２（ｃ））となり、感度むらも有効に抑えられている。
尚、励起光の強度と輝尽性蛍光体プレートの発光量とが図６のような特性である場合には、この特性を考慮して所望の発光量が得られるように励起光の強度の調節量を決定する。例えば、制御部１７がこの図６のようなデータが格納されたテーブルを参照することができるように構成しておく。
【００７３】
＜実施の形態４：可変増幅率信号増幅＋画像処理＞
輝尽性蛍光体プレート６上に対して被写体を透過させた放射線を照射したときの画像を読み取った際に、前記の第１の感度むらを打ち消すように増幅率を変化させた信号増幅を行う。すなわち、輝尽性蛍光体プレート６の両端部で感度が徐々に低下するような感度むら特性（図３（ａ））である場合には、両端部で読み取った信号を増幅する際に増幅率を大きくし、中央部付近に向かって徐々に増幅率を抑えた信号増幅（図３（ｂ）：中央で基準増幅率Ａ０  ）を行う。
【００７４】
このような可変増幅率による信号増幅については制御部１７からの指示によりフォトマルチプライヤ１０を駆動する高圧電源１９またはＬＯＧアンプ１２の少なくとも一方が行う。この場合の増幅率の変化はゆるやかなものであるので、制御を容易に実現することができる。従って、この場合には、制御部１７が増幅率変調手段若しくは光電変換器増幅率変調手段を構成している。
【００７５】
このような信号増幅では、画像を読み取る際に、既に求めた感度むらを打ち消すような信号増幅を行うことになり、大まかな第１の感度むらが生じない状態での信号が得られるようになる。
【００７６】
そして、読み取った画像信号の細かな第２の感度むらについて、画像処理部１４において画像処理（演算処理）による補正を行う。この場合、第２の感度むらに基づいて画素毎の補正係数を用意して乗算器やルックアップテーブルを用いて補正を行う。この補正は画素単位でディジタル的に行なえるので、細かな第２の感度むらについて忠実に補正を行うことが容易にできる。
【００７７】
このように、第１及の感度むらについて励起光の強度調節を行い、第２の感度むらについてディジタル的な画像処理によって補正を行うことで、ダイナミックレンジを狭めることなく、輝尽性蛍光体プレートや読み取り手段によって生じる感度むらの影響のない状態の画像を生成することが可能になる。
【００７８】
従って、補正前のダイナミックレンジＤ（図３（ａ））はＤ′（図３（ｃ））となり、また、感度むらも抑えられている。
【００７９】
【発明の効果】
以上詳細に説明したように、輝尽性蛍光体プレートに被写体を透過させずに一様な放射線を照射したときの蛍光を検出して感度むら情報を求め、輝尽性蛍光体プレートに対して被写体を透過させた放射線を照射したときの画像を読み取る際に、前記感度むらを打ち消すように励起光の強度を調節した走査を行って読み取りを行うことを特徴とする放射線画像読み取り方法の発明によれば、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。
【００８０】
また、輝尽性蛍光体プレートに被写体を透過させずに一様な放射線を照射したときの蛍光を検出して感度むら情報を求め、輝尽性蛍光体プレートに対して被写体を透過させた放射線を照射したときの画像を読み取った際に、前記感度むらを打ち消すように読み取った信号を増幅する増幅度を変化させることを特徴とする放射線画像読み取り方法の発明によれば、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。
【００８１】
また、予め読み取られた画像データから感度むら情報を求め記憶する感度むら情報記憶手段と、この感度むら情報記憶手段に記憶されている感度むら情報に基づいて前記励起光の強度を変化させる励起光強度変調手段と、を備えたことを特徴とする放射線画像読み取り装置の発明によれば、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。
【００８２】
また、予め読み取られた画像データから感度むら情報を求め記憶する感度むら情報記憶手段と、この感度むら情報記憶手段に記憶されている感度むら情報に基づいて前記光電変換器の増幅率を変化させる光電変換器増幅率変調手段と、を備えたことを特徴とする放射線画像読み取り装置の発明によれば、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。
【００８３】
また、予め読み取られた画像データから感度むら情報を求め記憶する感度むら情報記憶手段と、この感度むら情報記憶手段に記憶されている感度むら情報に基づいて前記増幅手段の増幅率を変化させる増幅率変調手段と、を備えたことを特徴とする放射線画像読み取り装置の発明によれば、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。
【００８４】
また、予め読み取られた画像データから感度むら情報を求め記憶する感度むら情報記憶手段と、この感度むら情報記憶手段に記憶されている感度むら情報に基づいて前記励起光の強度を変化させる励起光強度変調手段と、前記感度むら情報記憶手段に記憶されている感度むら情報に基づいて、読み取られた画像データに対し演算処理により感度むらを補正する感度むら補正手段と、を備えたことを特徴とする放射線画像読み取り装置の発明によれば、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。尚、大まかな感度むらと細かな感度むらとについて別々に補正を行うことで、補正処理が容易に行なえ、確実に補正を感度むらを補正できるようになる。
【００８５】
また、予め読み取られた画像データから感度むら情報を求め記憶する感度むら情報記憶手段と、この感度むら情報記憶手段に記憶されている感度むら情報に基づいて前記光電変換器の増幅率を変化させる光電変換器増幅率変調手段と、前記感度むら情報記憶手段に記憶されている感度むら情報に基づいて、読み取られた画像データに対し演算処理により感度むらを補正する感度むら補正手段と、を備えたことを特徴とする放射線画像読み取り装置の発明によれば、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。尚、大まかな感度むらと細かな感度むらとについて別々に補正を行うことで、補正処理が容易に行なえ、確実に補正を感度むらを補正できるようになる。
【００８６】
また、予め読み取られた画像データから感度むら情報を求め記憶する感度むら情報記憶手段と、この感度むら情報記憶手段に記憶されている感度むら情報に基づいて前記増幅手段の増幅率を変化させる増幅率変調手段と、前記感度むら情報記憶手段に記憶されている感度むら情報に基づいて、読み取られた画像データに対し演算処理により感度むらを補正する感度むら補正手段と、を備えたことを特徴とする放射線画像読み取り装置の発明によれば、感度むらが生じない状態での読み取りが行えるようになり、ダイナミックレンジを狭めることなく、輝尽性蛍光体プレートや読み取り手段によって生じる感度むらの影響のない状態の画像を生成することが可能になる。尚、大まかな感度むらと細かな感度むらと
について別々に補正を行うことで、補正処理が容易に行なえ、確実に補正を感度むらを補正できるようになる。
【００８７】
また、予め読み取られた画像データから低周波の第１の感度むら情報と高周波の第２の感度むら情報とを求め記憶する感度むら情報記憶手段と、この感度むら情報記憶手段に記憶されている前記第１の感度むら情報に基づいて前記励起光の強度を変化させる励起光強度変調手段と、前記感度むら情報記憶手段に記憶されている前記第２の感度むら情報に基づいて、読み取られた画像データに対し演算処理により感度むらを補正する感度むら補正手段と、を備えたことを特徴とする放射線画像読み取り装置の発明によれば、低周波の感度むらと高周波の感度むらとが生じない状態での読み取りが行えるようになり、ダイナミックレンジを狭めることなく、輝尽性蛍光体プレートや読み取り手段によって生じる感度むらの影響のない状態の画像を生成することが可能になる。尚、低周波の感度むらと高周波の感度むらとについて別々に補正を行うことで、適切な補正処理が容易に行なえ、確実に補正を感度むらを補正できるようになる。
【００８８】
また、予め読み取られた画像データから低周波の第１の感度むら情報と高周波の第２の感度むら情報とを求め記憶する感度むら情報記憶手段と、この感度むら情報記憶手段に記憶されている前記第１の感度むら情報に基づいて前記光電変換器の増幅率を変化させる光電変換器増幅率変調手段と、前記感度むら情報記憶手段に記憶されている前記第２の感度むら情報に基づいて、読み取られた画像データに対し演算処理により感度むらを補正する感度むら補正手段と、を備えたことを特徴とする放射線画像読み取り装置の発明によれば、低周波の感度むらと高周波の感度むらとが生じない状態での読み取りが行えるようになり、ダイナミックレンジを狭めることなく、輝尽性蛍光体プレートや読み取り手段によって生じる感度むらの影響のない状態の画像を生成することが可能になる。尚、低周波の感度むらと高周波の感度むらとについて別々に補正を行うことで、適切な補正処理が容易に行なえ、確実に補正を感度むらを補正できるようになる。
【００８９】
そして、予め読み取られた画像データから低周波の第１の感度むら情報と高周波の第２の感度むら情報とを求め記憶する感度むら情報記憶手段と、この感度むら情報記憶手段に記憶されている前記第１の感度むら情報に基づいて前記増幅手段の増幅率を変化させる増幅率変調手段と、前記感度むら情報記憶手段に記憶されている前記第２の感度むら情報に基づいて、読み取られた画像データに対し演算処理により感度むらを補正する感度むら補正手段と、を備えたことを特徴とする放射線画像読み取り装置の発明によれば、低周波の感度むらと高周波の感度むらとが生じない状態での読み取りが行えるようになり、ダイナミックレンジを狭めることなく、輝尽性蛍光体プレートや読み取り手段によって生じる感度むらの影響のない状態の画像を生成することが可能になる。尚、低周波の感度むらと高周波の感度むらとについて別々に補正を行うことで、適切な補正処理が容易に行なえ、確実に補正を感度むらを補正できるようになる。
【図面の簡単な説明】
【図１】本発明の実施の形態例１及び２に用いる装置の構成を示す構成図である。
【図２】本発明の実施の形態例において励起光の強度の制御を行う場合の様子を示す特性図である。
【図３】本発明の実施の形態例において信号増幅の増幅率の制御を行う場合の様子を示す特性図である。
【図４】本発明の実施の形態例３及び４に用いる装置の構成を示す構成図である。
【図５】感度むらの様子を示す特性図である。
【図６】レーザパワーと輝尽性蛍光体プレートの発光量との特性を示す特性図である。
【図７】輝尽性蛍光体プレートを用いた被写体の撮影の概要を説明するための説明図である。
【図８】輝尽性蛍光体プレートを用いた潜像の読み取りの概要を説明するための説明図である。
【図９】主走査方向のプロファイル例を説明するための説明図である。
【図１０】Ａ／Ｄコンバータの入力電圧を説明するための説明図である。
【図１１】ＬＯＧアンプの入出力特性を示す特性図である。
【図１２】従来の手法により感度むらに対処する場合の読み取り可能範囲を説明する特性図である。
【符号の説明】
１  Ｘ線装置
２  制御部
３  Ｘ線管
５  読み取り装置
６  輝尽性蛍光体プレート
７  励起光発生部
８  走査ミラー
９  集光体
１０  フォトマルチプライヤ（光電子増倍管）
１２  ＬＯＧアンプ
１３  Ａ／Ｄ変換部
１４  画像処理部
１５  第１テーブル
１６  第２テーブル
１７  制御部
１９  高圧電源（パワーサプライ：ＰＳ）
２０  テーブル
【図１】
0003563509.tif 000002
【図２】
0003563509.tif 000003
【図３】
0003563509.tif 000004
【図４】
0003563509.tif 000005
【図５】
0003563509.tif 000006
【図６】
0003563509.tif 000007
【図７】
0003563509.tif 000008
【図８】
0003563509.tif 000009
【図９】
0003563509.tif 000010
【図１０】
0003563509.tif 000011
【図１１】
0003563509.tif 000012
【図１２】
0003563509.tif 000013